【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】
少なくとも、回転可能な潜像担持体と、該潜像担持体に接触する帯電手段と、前記帯電手段に１個の電圧昇圧手段で交流と直流の重畳バイアス電圧を出力可能な帯電バイアス電源回路と、帯電バイアス電圧印加時に前記潜像担持体に流れる交流電流を検出可能な帯電交流電流検出手段とを有し、
前記帯電バイアス電源回路は、２種類以上の交流ピーク間電圧を段階的に出力可能な交流発振出力を有し、帯電バイアス電圧印加時に前記帯電交流電流検出手段によって検出された帯電交流電流が、帯電交流ピーク間電圧選択制御閾値電流以上で、かつ、最小の電流値を検出した時のバイアス電圧を画像形成時の帯電バイアス電圧として使用する画像形成装置において、
前記交流発振出力は、非画像形成時の少なくとも一部で、複数の交流ピーク間電圧を段階的に切り替えて発振し、そのときに前記潜像担持体に流れる帯電交流電流を検知し、その値が帯電交流ピーク間電圧選択閾値以上で、かつ、最小の電流値を検出したバイアス電圧を画像形成時の帯電バイアス交流電圧に決定し、前記段階的に印加される複数の交流ピーク間電圧は、その各々が前記潜像担持体が１回転する時間以上印加されることを特徴とする帯電バイアス電圧制御方法。
【請求項２】
前記非画像形成時の少なくとも一部は、前記画像形成装置の電源投入時の初期回転時の一部であることを特徴とする請求項１に記載の帯電バイアス電圧制御方法。
【請求項３】
少なくとも、回転可能な潜像担持体と、該潜像担持体に接触する帯電手段と、前記帯電手段に１個の電圧昇圧手段で交流と直流の重畳バイアス電圧を出力可能な帯電バイアス電源回路と、帯電バイアス電圧印加時に前記潜像担持体に流れる交流電流を検出可能な帯電交流電流検出手段とを有し、
前記帯電バイアス電源回路は、２種類以上の交流ピーク間電圧を段階的に出力可能な交流発振出力を有し、帯電バイアス電圧印加時に前記帯電交流電流検出手段によって検出された帯電交流電流が、帯電交流ピーク間電圧選択制御閾値電流以上で、かつ、最小の電流値を検出した時のバイアス電圧を画像形成時の帯電バイアス電圧として使用する画像形成装置において、
印加される複数の交流ピーク間電圧ＶｐｐをそれぞれＶｐｐ−１、Ｖｐｐ−２、・・・、Ｖｐｐ−ｎ（Ｖｐｐ−１＞Ｖｐｐ−２＞・・・＞Ｖｐｐ−ｎ＞・・・）としたときの画像形成時の帯電バイアス電圧がＶｐｐ−ｎのとき、非画像形成時の少なくとも一部で、画像形成時の帯電バイアス電圧よりも一段階低い電圧Ｖｐｐ−（ｎ＋１）を印加して交流電流を検出し、この検出された電流値が帯電交流ピーク間電圧閾値以上となった場合に、帯電バイアス電圧をＶｐｐ−（ｎ＋１）に切り替えることを行い、前記非画像形成時の一部で印加される画像形成時よりも一段階低い帯電バイアス電圧Ｖｐｐ−（ｎ＋１）は、前記潜像担持体が１回転する時間以上印加されることを特徴とする帯電バイアス電圧制御方法。
【請求項４】
非画像形成時の一部で印加される画像形成時よりも一段階低い帯電バイアス電圧Ｖｐｐ−（ｎ＋１）は、画像形成直前の前回転工程の一部で印加されること、を特徴とする請求項３に記載の帯電バイアス電圧制御方法。
【請求項５】
請求項１ないし４のいずれかに記載の帯電バイアス電圧制御方法を用いた帯電バイアス電源回路を有することを特徴とした画像形成装置。
【請求項６】
出力可能な最小の交流ピーク間電圧Ｖｐｐ−ｍｉｎと設定される直流電圧Ｖｄｃとの間の関係が、Ｖｐｐ−ｍｉｎ≧２×｜Ｖｄｃ｜であることを特徴とする、請求項１ないし４のいずれかに記載の帯電バイアス電圧制御方法を用いた帯電バイアス電源回路。
【請求項７】
出力可能な最大の交流ピーク間電圧Ｖｐｐ−ｍａｘを印加したときに検出される交流電流値Ｉａｃ−ｍａｘと帯電交流ピーク間電圧閾値電流Ｉａｃ−０との関係が、Ｉａｃ−ｍａｘ≧Ｉａｃ−０であることを特徴とする、請求項１ないし４のいずれかに記載の帯電バイアス電圧制御方法を用いた帯電バイアス電源回路。
【請求項８】
請求項６、または７に記載の帯電バイアス電源回路を有することを特徴とした画像形成装置。
【手続補正２】
【補正対象書類名】明細書
【補正対象項目名】００２４
【補正方法】変更
【補正の内容】
【００２４】
（１）少なくとも、回転可能な潜像担持体と、該潜像担持体に接触する帯電手段と、前記帯電手段に１個の電圧昇圧手段で交流と直流の重畳バイアス電圧を出力可能な帯電バイアス電源回路と、帯電バイアス電圧印加時に前記潜像担持体に流れる交流電流を検出可能な帯電交流電流検出手段とを有し、
前記帯電バイアス電源回路は、２種類以上の交流ピーク間電圧を段階的に出力可能な交流発振出力を有し、帯電バイアス電圧印加時に前記帯電交流電流検出手段によって検出された帯電交流電流が、帯電交流ピーク間電圧選択制御閾値電流以上で、かつ、最小の電流値を検出した時のバイアス電圧を画像形成時の帯電バイアス電圧として使用する画像形成装置において、
前記交流発振出力は、非画像形成時の少なくとも一部で、複数の交流ピーク間電圧を段階的に切り替えて発振し、そのときに前記潜像担持体に流れる帯電交流電流を検知し、その値が帯電交流ピーク間電圧選択閾値以上で、かつ、最小の電流値を検出したバイアス電圧を画像形成時の帯電バイアス交流電圧に決定し、前記段階的に印加される複数の交流ピーク間電圧は、その各々が前記潜像担持体が１回転する時間以上印加されることを特徴とする帯電バイアス電圧制御方法。
【手続補正３】
【補正対象書類名】明細書
【補正対象項目名】００２５
【補正方法】変更
【補正の内容】
【００２５】
（２）前記非画像形成時の少なくとも一部は、前記画像形成装置の電源投入時の初期回転時の一部であることを特徴とする請求項１に記載の帯電バイアス電圧制御方法。
【手続補正４】
【補正対象書類名】明細書
【補正対象項目名】００２６
【補正方法】変更
【補正の内容】
【００２６】
（３）少なくとも、回転可能な潜像担持体と、該潜像担持体に接触する帯電手段と、前記帯電手段に１個の電圧昇圧手段で交流と直流の重畳バイアス電圧を出力可能な帯電バイアス電源回路と、帯電バイアス電圧印加時に前記潜像担持体に流れる交流電流を検出可能な帯電交流電流検出手段とを有し、
前記帯電バイアス電源回路は、２種類以上の交流ピーク間電圧を段階的に出力可能な交流発振出力を有し、帯電バイアス電圧印加時に前記帯電交流電流検出手段によって検出された帯電交流電流が、帯電交流ピーク間電圧選択制御閾値電流以上で、かつ、最小の電流値を検出した時のバイアス電圧を画像形成時の帯電バイアス電圧として使用する画像形成装置において、
印加される複数の交流ピーク間電圧ＶｐｐをそれぞれＶｐｐ−１、Ｖｐｐ−２、・・・、Ｖｐｐ−ｎ（Ｖｐｐ−１＞Ｖｐｐ−２＞・・・＞Ｖｐｐ−ｎ＞・・・）としたときの画像形成時の帯電バイアス電圧がＶｐｐ−ｎのとき、非画像形成時の少なくとも一部で、画像形成時の帯電バイアス電圧よりも一段階低い電圧Ｖｐｐ−（ｎ＋１）を印加して交流電流を検出し、この検出された電流値が帯電交流ピーク間電圧閾値以上となった場合に、帯電バイアス電圧をＶｐｐ−（ｎ＋１）に切り替えることを行い、前記非画像形成時の一部で印加される画像形成時よりも一段階低い帯電バイアス電圧Ｖｐｐ−（ｎ＋１）は、前記潜像担持体が１回転する時間以上印加されることを特徴とする帯電バイアス電圧制御方法。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】変更
【補正の内容】
【００２８】
（４）非画像形成時の一部で印加される画像形成時よりも一段階低い帯電バイアス電圧Ｖｐｐ−（ｎ＋１）は、画像形成直前の前回転工程の一部で印加されること、を特徴とする（３）に記載の帯電バイアス電圧制御方法。
【手続補正７】
【補正対象書類名】明細書
【補正対象項目名】００２９
【補正方法】変更
【補正の内容】
【００２９】
（５）前記（１）ないし（４）のいずれかに記載の帯電バイアス電圧制御方法を用いた帯電バイアス電源回路を有することを特徴とした画像形成装置。
【手続補正８】
【補正対象書類名】明細書
【補正対象項目名】００３０
【補正方法】変更
【補正の内容】
【００３０】
（６）出力可能な最小の交流ピーク間電圧Ｖｐｐ−ｍｉｎと設定される直流電圧Ｖｄｃとの間の関係が、Ｖｐｐ−ｍｉｎ≧２×｜Ｖｄｃ｜であることを特徴とする、（１）ないし（４）のいずれかに記載の帯電バイアス電圧制御方法を用いた帯電バイアス電源回路。
【手続補正９】
【補正対象書類名】明細書
【補正対象項目名】００３１
【補正方法】変更
【補正の内容】
【００３１】
（７）出力可能な最大の交流ピーク間電圧Ｖｐｐ−ｍａｘを印加したときに検出される交流電流値Ｉａｃ−ｍａｘと帯電交流ピーク間電圧閾値電流Ｉａｃ−０との関係が、Ｉａｃ−ｍａｘ≧Ｉａｃ−０であることを特徴とする、（１）ないし（４）のいずれかに記載の帯電バイアス電圧制御方法を用いた帯電バイアス電源回路。
【手続補正１０】
【補正対象書類名】明細書
【補正対象項目名】００３２
【補正方法】変更
【補正の内容】
【００３２】
（８）前記（６）、または（７）に記載の帯電バイアス電源回路を有することを特徴とした画像形成装置。